(57)【要約】【課題】ゴルフ靴の靴底（ソール）に滑り止め用のスパイクのスパイク突起を観察するだけで、スパイク突起の磨耗状態を容易に認識させ、そのスパイク本体の交換時期を正確に判断させる。【解決手段】ゴルフ靴の靴底３０に埋設したナット２０に対して、下方へ突出する複数のスパイク突起１１を設けたスパイク本体１０を着脱自在に締結し得るゴルフ靴用スパイクであって、スパイク突起１１の内部に、スパイク突起１１の色彩と異なる色彩からなる異色心材１２をその突出方向に埋め込んだ。【選択図】図２
0003121058.tif 000002
【実用新案登録請求の範囲】
【請求項１】
ゴルフ靴のソール（３０）に埋設したナット（２０）に、スパイク本体（１０）を着脱自在に締結し得るゴルフ靴用スパイクであって、
前記スパイク本体（１０）に、下方へ突出するように複数のスパイク突起（１１）を設け、
各スパイク突起（１１）の内部に、該スパイク突起（１１）と同じ合成樹脂製ではあるが、その色彩が異なる異色心材（１２）をその突出方向に埋め込み、
前記スパイク突起（１１）の先端からの磨耗の進行と比例して、前記異色心材（１２）先端からの磨耗による露出面積が拡大するように、該異色心材（１２）をその先端が細くなる楔形状に形成した、ことを特徴とするゴルフ靴用スパイク。
【考案の詳細な説明】
【技術分野】
【０００１】
本考案は、ゴルフ靴のソールに取り付ける滑り止め用のスパイクに係り、特にスパイク本体が磨耗したときに、このスパイク本体の交換時期を正確に認識させることができるゴルフ靴用スパイクに関するものである。
【背景技術】
【０００２】
従来より、ゴルフ靴用のスパイクは、ナットとスパイク本体とから構成され、ナットはスパイク本体を締結するためにその全体がゴルフ靴底（ソール）に埋設固定されている。スパイク本体は、下方へ突出する複数のスパイク突起を設け、これらのスパイク突起で足が滑らないようになっている。例えば、特許文献１の特開平３−２５１２０２号の「鋲付靴とその製造方法」にスパイクが付いたゴルフ靴が提案されている。
【特許文献１】特開平３−２５１２０２号
【０００３】
ゴルフ靴を長期間使用すると、地面に直接接しているスパイク突起が磨耗し、滑り止め機能が低下する。このスパイク突起の磨耗を見過ごすと、ゴルフ靴は却って滑りやすくなる。スイング中に足が滑ってエラーしやすく、スイング不良になりやすくなる。即ち、スパイク本体のスパイク突起の磨耗は、スイング不良と直結するものである。そこで、ある程度スパイク突起が磨耗したスパイク本体は、適当な時期に交換することが不可欠である。スパイク本体の交換時期を正確に把握しておくことにより、グリーン上での失敗を予め防止することができる。
【考案の開示】
【考案が解決しようとする課題】
【０００４】
しかし、上記従来のスパイク本体の構造では、複数のスパイク突起の磨耗状態を随時観察する必要があった。そのスパイク突起の磨耗状態からスパイク本体を交換する時期であるかどうかを正確に把握することが困難であるために、そのスパイク本体の交換時期を逸しやすいという問題を有していた。
【０００５】
一方、スパイク突起が僅かしか磨耗していないときに、スパイク本体を早い時期に交換することは、十分に滑り止め機能を有するスパイク本体を廃棄することになり、経済的な損失になるという問題を有していた。
【０００６】
本考案は上記問題点を解決するために創案されたものであり、その目的は、ゴルフ靴の靴底にスパイクのスパイク突起の先端を観察するだけで、スパイク本体の交換時期を正確に判断することができるゴルフ靴用スパイクを提供することにある。
【課題を解決するための手段】
【０００７】
本考案によれば、ゴルフ靴のソール（３０）に埋設したナット（２０）に、スパイク本体（１０）を着脱自在に締結し得るゴルフ靴用スパイクであって、前記スパイク本体（１０）に、下方へ突出するように複数のスパイク突起（１１）を設け、各スパイク突起（１１）の内部に、該スパイク突起（１１）と同じ合成樹脂製ではあるが、その色彩が異なる異色心材（１２）をその突出方向に埋め込み、前記スパイク突起（１１）の先端からの磨耗の進行と比例して、前記異色心材（１２）先端からの磨耗による露出面積が拡大するように、該異色心材（１２）をその先端が細くなる楔形状に形成した、ことを特徴とするゴルフ靴用スパイクが提供される。
【考案の効果】
【０００８】
上記構成の考案では、スパイク突起（１１）に、このスパイク突起（１１）の色彩と異なる色彩の異色心材（１２）をその突出方向に埋め込んであるので、ゴルフ靴を使用することにより、スパイク突起（１１）が先端から磨耗していくと、スパイク突起（１１）の先端から異なる色彩の異色心材（１２）が露出し、磨耗の進行状態を容易に認識させることができる。異色心材（１２）の先端が細くなる楔形状に形成したスパイク突起（１１）が、スパイク突起（１１）の磨耗の進行が進むことに比例して、この異色心材（１１）の露出面積が拡大していくために、この異色心材（１１）の露出状態を観察することにより、スパイク突起（１１）の磨耗状態を確認し、スパイク本体（１０）の交換時期を判断することができる。
【０００９】
特に、スパイク突起（１１）の磨耗と共に異色心材（１２）も磨耗し、その突出長の約１／３又はそれ以上に進行して、露出した異色心材（１２）の直径が拡大していくので、このスパイク突起（１１）はこれ以上の使用は不可能であり、そのスパイク本体（１０）の交換時期をより正確に判断することができる。
【００１０】
更に、スパイク突起（１１）の磨耗状態を先端から観察するだけで、その磨耗状態からスパイク本体（１０）の交換時期を正確な判断することができるので、スパイク突起（１１）の機能を長期間発揮した後に、新たなスパイク本体（１０）に交換することができる。そこで、従来のようにスパイク突起（１１）の交換時期を逸したゴルフ靴を履いてプレイすることによるスイング不良等の不具合を防止することができる。
【考案を実施するための最良の形態】
【００１１】
本考案は、スパイク突起に、このスパイク突起の色彩と異なる色彩の異色心材をその突出方向に埋め込み、ゴルフ靴を使用することにより、スパイク突起が先端から磨耗していくと、その磨耗状態を確認し、スパイク本体の交換時期を判断することができるゴルフ靴用スパイクである。
【実施例１】
【００１２】
以下、本考案の好ましい実施の形態を図面を参照して説明する。
図１は本考案のゴルフ靴用スパイクのスパイク本体を示す斜視図である。図２は使用前のスパイク本体をナットに締め付けた状態を示す断面図である。
本考案のゴルフ靴用スパイクは、ゴルフ靴のソール３０に埋設したナット２０に、スパイク本体１０を着脱自在に締結したものである。この締結手段は、図示するようにネジ式、圧入式等のいずれの方法でもよい。このスパイク本体１０に設けたスパイク突起１１の内部に、スパイク突起１１の色彩と異なる色彩の異色心材１２をその突出方向に埋め込んである。図示例では白色の合成樹脂製のスパイク突起１１に黒色の合成樹脂製の異色心材１２を埋め込んだものを示している。スパイク本体１０上面に２個の差込孔１３を設け、この差込孔１３に工具等を差し込んでスパイク本体１０をナット２０に取り付け、取り外すようになっている。
【００１３】
図３は磨耗しているが交換時期前のスパイク本体を示す断面図である。図４は磨耗しているが交換時期前のスパイク本体を示す底面図である。
このように構成したスパイク本体１０は、ゴルフ靴を長期間使用していると、図３及び図４に示すように、スパイク突起１１がその先端から磨耗していく。そこで、このスパイク突起１１内にその突出方向に埋め込んだ、表面の色彩と異なる異色心材１２が露出してくる。使用者はこの異色心材１２の露出により、スパイク突起１１の磨耗が先端から進行していく様子を確認することができる。
【００１４】
一方、図３の２点鎖線で示す磨耗線ａまでの磨耗状態では、まだスパイク突起１１の「初期磨耗状態」として異色心材１２の露出程度も微々たるものである。即ち、図４の底面図で示すように、磨耗したスパイク突起１１の端面に異色心材１２の露出部位の直径が比較的小さい。この状態では、使用者はスパイク本体１０のスパイク突起１１の磨耗が進行していることを認識するが、異色心材１２の露出程度が微々たるものであるために、スパイク本体１０を交換する時期ではないと判断することができる。但し、近いうちにスパイク本体１０を交換しなければならないことを認識させる。
【００１５】
また、本考案のスパイク突起１１の異色心材１２は、このスパイク突起１１を含むスパイク本体１０とは異なる色彩であるので、スパイク突起１１から異色心材１２が先端から露出していることと、その露出程度を容易に観察できるようになっている。但し、このスパイク突起１１と異色心材１２の色彩と異なる色彩からなるものであれば、種々の色彩の組み合わせが可能である。例えば、黒色又は白色、銀色等のスパイク本体１０（スパイク突起１１）に、赤色、黄色等の異色心材１２を埋め込むことにより、スパイク本体１０と明確に識別できる。なお、異色心材１２は、全部のスパイク突起１１に埋め込む必要はない。例えば、図示例のように６本の細いスパイク突起１４の間に、異色心材１２を埋め込んだスパイク突起１１を３本配置することができる。
【００１６】
図５は磨耗して交換時期になったスパイク本体を示す断面図である。図６は磨耗して交換時期になったスパイク本体を示す底面図である。
更に、ゴルフ靴を使用していくと、図５に示すように、スパイク本体１０のスパイク突起１１が上述した図３に示した磨耗線ａより進んで、磨耗線ａ’まで磨耗する。この磨耗線ａ’では、スパイク突起１１の磨耗が、その突出長の約１／３又はそれ以上に進行して、図６の底面図に示すように、露出した異色心材１２の直径が大きく拡大していく。この異色心材１２の直径が拡大していくことは、スパイク突起１１の磨耗がその先端から磨耗していることを意味する。そこで、使用者はスパイク突起１１のこれ以上の使用は不可能であり、そのスパイク本体１０の交換時期であることを正確に判断する。
【００１７】
異色心材１２の先端が細くなる、いわゆる「楔形状」に形成したスパイク突起１１では、スパイク突起１１の磨耗の進行が進むことに比例して、異色心材１２の露出面積が拡大するために、スパイク本体１０の交換時期をより正確に認識させ、交換時期を容易に判断することができる。
【００１８】
なお、本考案は上述した各実施の形態に限定されず、スパイク突起１１内にこれと異なる色彩の異色心材１２を埋め込んだことにより、スパイク本体１０の交換時期を容易に判断することができる構成であれば、図示したスパイク突起１１と異色心材１２のような形状又は配置に限定されず、本考案の要旨を逸脱しない範囲で種々変更できることは勿論である。
【産業上の利用可能性】
【００１９】
上述したように本考案のゴルフ靴用スパイクは、種々のゴルフ靴に取り付けて広く使用することが可能である。
【図面の簡単な説明】
【００２０】
【図１】本考案のゴルフ靴用スパイクのスパイク本体を示す斜視図である。
【図２】使用前のスパイク本体をナットに締め付けた状態を示す断面図である。
【図３】磨耗しているが交換時期前のスパイク本体を示す断面図である。
【図４】磨耗しているが交換時期前のスパイク本体を示す底面図である。
【図５】磨耗して交換時期になったスパイク本体を示す断面図である。
【図６】磨耗して交換時期になったスパイク本体を示す底面図である。
【符号の説明】
【００２１】
１０  スパイク本体
１１  スパイク突起
１２  異色心材
２０  ナット
３０  ゴルフ靴のソール
【図１】
0003121058.tif 000003
【図２】
0003121058.tif 000004
【図３】
0003121058.tif 000005
【図４】
0003121058.tif 000006
【図５】
0003121058.tif 000007
【図６】
0003121058.tif 000008